(57)【要約】【課題】高さ及び設置面積を減らして装置全体の小型化を図り、省スペースでも設置可能なモータ駆動装置を提供する。【解決手段】モータ軸３３に連繋して駆動伝達する減速部１１とモータ１０の駆動回路が形成された制御基板１８とがケース内で対向して組み付けられ、減速部１１と制御基板１８との隙間に、減速部１１の出力軸４１の挿入を許容する軸孔４８ａが形成された遮蔽材４８を隔てて同室配置される。【選択図】図３
2005224076.tif 000002
【特許請求の範囲】
【請求項１】
モータと、
モータ軸に連繋して駆動伝達する減速部とモータの駆動回路が形成された制御基板とがケース内で対向して組み付けられ、
減速部と制御基板との隙間に、減速部の出力軸の挿入を許容する軸孔が形成された遮蔽材を隔てて同室配置されることを特徴とするモータ駆動装置。
【請求項２】
第１のケースに減速部及び該減速部を覆う遮蔽材が組み付けられ、第２のケースに制御基板が固定された当該第１のケースと第２のケースとを組み付けることで減速部と制御基板とが遮蔽材を隔てて同室配置されることを特徴とする請求項１記載のモータ駆動装置。
【請求項３】
遮蔽材として減速部に対向する側に平滑な布材、制御基板に対向する側に樹脂材が重ね合わされたシート材が用いられることを特徴とする請求項１記載のモータ駆動装置。
【請求項４】
車両用のサンルーフを開閉駆動するモータ駆動装置であることを特徴とする請求項１記載のモータ駆動装置。                                                                  
【発明の詳細な説明】
【技術分野】
【０００１】
本発明は、例えば車両用のサンルーフ駆動用に用いられるモータ駆動装置に関する。
【背景技術】
【０００２】
車両用のサンルーフ装置、ウインドウ開閉装置、ドア開閉装置、エンジンの駆動を切換えるシフトコントローラなど、電動モータによりアクチュエータを作動させるモータ駆動装置においては、モータ軸の回転を減速ギヤを含む駆動伝達機構を通じて伝達し、ケーブル、ラック、ギヤプーリなどのアクチュエータを作動させるようになっている。駆動源としては、ＤＣブラシ付モータ、ＤＣブラシレスモータ、ステップモータ等様々な電動モータが用いられ、ＣＰＵやＭＰＵなどを含む駆動回路（モータドライブ回路）により駆動制御される。
【０００３】
例えば、シフトコントローラの場合、制御基板を収容する基板ケースとモータ駆動を伝達するギヤ列が収納されたギヤケースとは、隔壁により仕切られた別室に配置されているか（特許文献１参照）、或いはサンルーフ制御装置の場合、少なくとも減速ギヤの直下に制御基板は配置せずに両者をシフトさせた配置になっている（特許文献２参照）。これは、減速ギヤを含む伝達機構にはギヤ歯の摩耗を防いだりシャフトの回転性能を高めるためにグリース等の潤滑油が塗布されることが多く、この潤滑油が制御基板上に滴下した場合には回路がショートしたり故障の原因となること、更には制御基板に搭載された電子部品とギヤが干渉するのを回避するためである。
【特許文献１】特開２００３−１８９５４６号公報
【特許文献２】特開２００１−３０７６３号公報
【発明の開示】
【発明が解決しようとする課題】
【０００４】
上述した制御基板と駆動伝達機構を別室に配置する場合には、収納ケースに隔壁を設ける必要があるため、ケースの高さが高くなりモータ駆動装置全体が大型になる。また、制御基板と駆動伝達機構をシフトさせて配置する場合には、装置の設置面積が増大する。
特に、サンルーフ駆動装置のように、固定ルーフの狭い隙間に配置されるためには、モータ駆動装置の高さ方向及び設置面積をできるだけ減らして小型化を実現したいとのニーズがある。
【０００５】
本発明はこれらの課題を解決すべくなされたものであり、その目的とするところは、高さ及び設置面積を減らして装置全体の小型化を図り、省スペースでも設置可能なモータ駆動装置を提供することにある。
【課題を解決するための手段】
【０００６】
本発明は上記目的を達成するため、次の構成を備える。
モータと、モータ軸に連繋して駆動伝達する減速部と、モータの駆動回路が形成された制御基板とがケース内で対向して組み付けられ、減速部と制御基板との隙間に、減速部の出力軸の挿入を許容する軸孔が形成された遮蔽材を隔てて同室配置されることを特徴とする。
また、第１のケースに減速部及び該減速部を覆う遮蔽材が組み付けられ、第２のケースに制御基板が固定された当該第１のケースと第２のケースとを組み付けることで減速部と制御基板とが遮蔽材を隔てて同室配置されることを特徴とする。
また、遮蔽材として減速部に対向する側に平滑な布材、制御基板に対向する側に樹脂材が重ね合わされたシート材が用いられることを特徴とする。
また、車両用のサンルーフを開閉駆動するモータ駆動装置であることを特徴とする。
【発明の効果】
【０００７】
上述したモータ駆動装置を用いれば、モータ軸に連繋して駆動伝達する減速部と電子部品が搭載された制御基板とがケース内で対向して組み付けられ、減速部と制御基板との隙間に、減速部の出力軸の挿入を許容する軸孔が形成された遮蔽材を隔てて同室配置されるので、減速部と制御基板とを組み付け不具合の生じない最小の高さ位置でオーバーラップしてケ−ス内に収納できるので、装置の高さや設置面積を大幅に減らして小型化を図ることができる。また、同室内で対向配置される減速部と制御基板とが遮蔽材により隔てられているので、減速部からグリース等の潤滑油が滴下するおそれはなく、制御基板の設計上の自由度を確保することができる。
また、第１のケースに減速部及び該減速部を覆う遮蔽材が組み付けられ、第２のケースに制御基板が固定された当該第１のケースと第２のケースとを組み付けることで減速部と制御基板とが遮蔽材を隔てて同室配置される場合には、組立性が良い。
また、遮蔽材として減速部に対向する側に平滑な布材、制御基板に対向する側に絶縁性樹脂材が重ね合わされたシート材を用いることで、潤滑油が滴下或いは飛散しても布材で吸収され、電子部品が遮蔽材と当接しても絶縁性シートであるため駆動回路との絶縁性を確保することができる。
更に、車両用のサンルーフを開閉駆動するモータ駆動装置に採用することで、小型化されているので、車両の固定ルーフの狭い設置スペースに設置することができる。
【発明を実施するための最良の形態】
【０００８】
以下、本発明に係るモータ駆動装置の最良の実施形態について、添付図面を参照しながら説明する。モータ駆動装置は、電動モータによりアクチュエータを作動させる装置に広く適用できる。本実施の形態は、一例として車両用のサンルーフを開閉駆動するサンルーフ駆動装置に適用した場合について説明する。サンルーフ駆動装置は、モータ駆動により回転する出力ギヤに噛み合うギヤードケーブル（スパイラル状のギヤ溝が形成されたケーブル）、樹脂ベルトなどの押し引き手段に連繋するスライドパネルを全開位置と全閉位置との間でスライドさせるスライド動作及び全閉位置から後端側を上昇させるチルト動作を行って、固定ルーフの開口を開閉するようになっている。
【０００９】
図１のブロック図を参照して、車両用のサンルーフ駆動装置の概略構成について説明する。電源１は車両に搭載されているバッテリー、燃料電池等が用いられ、電源電圧（例えばバッテリー電圧１２Ｖ）が電源処理部２へ供給される。電源処理部２は、電源電圧（例えば１２Ｖ）を制御部用電圧（例えば５Ｖ）の変換、電源電圧の安定化、逆接続等の保護、外部信号による電源のＯＮ／ＯＦＦを行う。電圧監視部３はＣＰＵ（中央制御処理装置）４へ供給される制御電圧を監視し、電圧降下が生じた場合には、ＣＰＵ４へ入力信号を送信する。
【００１０】
ＣＰＵ４は、サンルーフ駆動装置を駆動制御するもので、サンルーフの動作制御とモータの回転磁界を形成するための相切替制御とを合せて行うようになっている。即ち、ＣＰＵ４には、ルーフ１３の開閉動作を制御するルーフ動作制御部５と、モータからの磁極検出信号により回転磁界を発生させて回転制御を行う回転磁界発生制御部６が一つのチップに設けられている。ＣＰＵ４には車両の操作パネルに設けられたスイッチ７などから動作開始信号が入力され、ルーフ動作制御部５は回転磁界発生制御部６を通じてモータを起動する。
【００１１】
また、不揮発性メモリ（例えばＥＥＰＲＯＭなど）８には、現在のルーフ位置情報と予めルーフの動作制御に必要な開閉位置、減速位置やモータ回転数などに関する制御データが書き込まれており、必要に応じてデータを書き換えることができるようになっている。例えば、電源投入時に前回記憶した位置情報を読み出し、電源電圧低下を電圧監視部３が検出したときに不揮発性メモリ８にルーフ位置情報を書き込む。また、回転磁界発生制御部６から送信された相切替信号に応じてモータ駆動部９は、トランジスタ、ＩＧＢＴ、ＦＥＴなどのスイッチング素子を設けた駆動回路（３相ブリッジ回路）を通じて駆動源である３相ＤＣブラシレスモータ１０へ相切替信号（駆動電圧）を出力する。モータ駆動部９の駆動電源は電源処理部２から供給される。ＤＣブラシレスモータ１０は後述する減速部１１を通じて連繋するルーフ駆動用ケーブル１２を押し引き駆動する。これにより、ルーフ駆動用ケーブル１２に連繋するルーフ（スライドパネル）１３を開閉動作するようになっている。
【００１２】
ルーフ動作制御部５及び回転磁界発生制御部６にはＤＣブラシレスモータ１０に設けられた磁極センサ（ホール素子、ホールＩＣ、ＭＲセンサなどの磁電変換素子）から３相の検出パルス信号が各々入力される。また、ルーフ動作制御部５は制御プログラムに基づいてルーフ速度（モータ回転数）と相切替信号のパルス数を監視しており、ルーフ速度（モータ回転数）に過不足がある場合には、回転磁界発生制御部６に指令して相切替信号を更新する。また、ルーフ動作制御部５は、３相の検出パルス信号を用いてルーフの位置情報を生成している。
【００１３】
次に、サンルーフ駆動装置の具体的な構成について図２及び図３を参照して説明する。
図２（ａ）（ｂ）において、サンルーフ駆動装置は、基板ケース１５と該基板ケース１５を覆うモータケース１４及び外装ケース１６とを組み合わせて構成されている。モータケース１４には、３相ＤＣブラシレスモータ１０や該３相ＤＣブラシレスモータ１０に減速部１１を通じて連繋してルーフ駆動用ケーブル１２を押し引き駆動するケーブル駆動機構が収納されている。基板ケース１５には、ＣＰＵ４、モータ駆動部９、不揮発性メモリ８などのモータ駆動回路を構成する電子部品を搭載した制御基板１８が組み付けられている。外装ケース１６は基板ケース１５に組み付けられた制御基板１８を覆っている。
【００１４】
３相ＤＣブラシレスモータ１０は、モータケース１４内に挿入され蓋体１７を嵌め込むことでケース内で支持固定される。モータケース１４の外面にはルーフ駆動用ケーブル１２の移動をガイドする一対のガイドプレート１９が外側に向かって突設されている（図２（ｂ）参照）。また、図３（ａ）において、モータケース１４にはルーフ駆動用ケーブル１２の移動経路に沿って２箇所に貫通孔２０が各々形成されている。図３（ｂ）において、各貫通孔２０の内壁に形成されたＣ型止め部２１に、ダンパー（グロメット、防振ゴムなど）２２が外周に形成された周溝（凹溝）にて各々嵌め込まれている。これらのダンパー２２は、ＤＣブラシレスモータ１０の回転振動がモータケース１４を通じてルーフ駆動装置支持部やルーフ駆動用ケーブル１２に伝達しないように設けられている。
【００１５】
図２（ａ）（ｂ）において、基板ケース１５には、制御基板１８が円筒状の防振ゴム（グロメット）２３によりケース内面側に挟み込まれて固定され、更に止めねじ２４を防振ゴム２３の軸孔を貫通してモータケース１４側のねじ孔にねじ嵌合して最終的に固定される。本実施例では、基板ケース１５に対して制御基板１８を４箇所に設けられた防振ゴム２３及び止めねじ２４で固定している。制御基板１８にはコネクタ部２５が接続されており、基板ケース１５に設けられた切欠部より外方へ突設されている。コネクタ部２５は、サンルーフ駆動装置を車両の固定ルーフ内に組み付ける際に、車両側の端子部（図示せず）と結合して電気的に接続される。
【００１６】
尚、基板ケース１５及び制御基板１８のダンパー２２に対応する部位及び後述する出力軸に対応する部位には貫通孔２６が設けられている。サンルーフ駆動装置は、図示しないルーフ駆動用ケーブル１２のねじ止め部にモータケース１４の貫通孔２０を位置合わせして取り付けられる。即ち、基板ケース１５側よりダンパー２２にワッシャーを重ねて、ねじをダンパー２２の軸孔へ挿入してねじ止め部へねじ嵌合することでサンルーフ駆動装置がルーフ駆動用ケーブル１２へ連繋して固定される。また、貫通孔２７は、サンルーフ駆動装置が非常停止した場合、基板ケース１５側より工具を出力軸に嵌合させて出力ギヤを回転させることで、ルーフ駆動用ケーブル１２を移動させてルーフ１３を手動で開閉するために設けられている。
【００１７】
次に、図３及び図４を参照してＤＣブラシレスモータ１０の構成について説明する。図４において、ＤＣブラシレスモータ１０としては、例えば４極６スロットのインナーロータ型の３相ＤＣブラシレスモータが好適に用いられる。ステータコア２８は例えば積層コアが用いられ、径方向内側に向かってステータティース部２９が６カ所に突設されている。各ステータティース部２９にはステータコイル３０が巻き回されている。このステータコア２８に囲まれた空間内にロータ３１が組み込まれている。このような、ロータ径が小さいインナーロータ型のモータを用いることでイナーシャが小さく、回転振動が少ないので静音化を促進するうえにロータ３１の回転バランス取り加工も不要となる。ロータ外周付近にはロータ３１に対向して磁極センサ（ホール素子、ホールＩＣ、ＭＲセンサなどの磁電変換素子）３２が３箇所に設けられている。尚、ＤＣブラシレスモータ１０は、４極６スロットに限らず、例えば８極１２スロット等のモータであっても良い。
図３（ａ）において、磁極センサ３２はモータ軸３３と直交して配置されたセンサ基板３４に設けられている。センサ基板３４は、ステータコア２８の端面に突き当てられ、Ｏリング等の弾性体３５を介して蓋体１７との間で挟み込まれてモ−タケース１４内で固定されている。センサ基板３４は制御基板１８と配線接続され、駆動回路に接続されている。
【００１８】
図３（ａ）において、ロータ３１はモータ軸３３がモータケース１４と蓋体１７とで合計３カ所に設けられた軸受部３６にてラジアル方向で軸支されている。モータ軸３３の両端部は、モータケース１４及び蓋体１７に設けられたスラスト受け３７に突き当てられている。ロータ３１は、モータ軸３３の周囲に円筒状のロータマグネット３８が設けられている。ロータマグネット３８は、回転方向でＮ極及びＳ極が交互に着磁されている。ロータマグネット３８は、ラジアル方向にスキュー着磁若しくは正弦波着磁されていても良く、この場合にはモータのトルクリップルやコギングトルクを減らして回転振動を低減することができる。
【００１９】
次に減速部１１の構成ついて説明する。図３（ａ）において、ＤＣブラシレスモータ１０のモータ軸３３は、ステータコア２８を貫通して、一端側がモータケース１４側で軸受部３６にてラジアル方向に軸支されており、他端側は蓋体１７の軸受部３６にてラジアル方向に軸支されている。この一端側に延設されたモータ軸３３には、スパイラル状のギヤ溝が形成されたウォーム部３９が形成されている。
【００２０】
図３（ｃ）において、モータケース１４の軸孔１４ａには、出力ギヤ（ピニオンギヤ）４０が一体に形成された出力軸４１が外面側より嵌め込まれる。モータケース１４の内面側には軸孔１４ａの周囲に円筒状のボス部４２が起立形成されており、ボス部４２には減速ギヤ（ウォームギヤ）４３の軸孔が嵌め込まれる。減速ギヤ４３は、内周側をボス部４２に、外周側をモータケース１４に形成されたギヤ収納壁４４に囲まれてモータケース１４内に組み込まれ、モータ軸３３のウォーム部３９と回転方向が直交する位置で噛み合う。減速ギヤ４３の内周面側には複数箇所で挿入されたダンパー４５がロックプレート４６により一体に組み付けられている。減速ギヤ４３はボス部４２に嵌め込まれ、出力軸４１が軸孔１４ａに嵌め込まれて減速ギヤ４３の側面より突出した軸端側にＣ形止め輪４７が取り付けられて一体に連繋する。
【００２１】
図３（ａ）において、減速部１１と制御基板１８とがケース内で対向して組み付けられている。図３（ｃ）において、ケース内の減速部１１と制御基板１８との隙間に、減速ギヤ４３の出力軸４１の挿入を許容する軸孔４８ａが形成された遮蔽材４８（図５（ｂ）参照）を隔てて同室配置されている。具体的には、モータケース１４（第１のケース）内に減速ギヤ４３が回転可能に組み付けられ（図５（ａ）参照）、該減速ギヤ４３を覆う遮蔽材４８（図５（ｂ）参照）が組み付けられる。即ち、図５（ａ）において、モータケース１４の内壁面に起立形成されたギヤ収納壁４４の端面には、突起４９が４箇所に形成されている。図５（ｂ）に示す遮蔽材４８に形成された嵌め込み孔５０へ突起４９を各々挿通することによって、遮蔽材４８がギヤ収納壁４４の端面に突き当てられて減速ギヤ４３を覆って組み付けられる。一方、基板ケース（第２のケース）１５には制御基板１８が組付固定されている。上記モータケース１４と基板ケース１５とを組み付けることで減速ギヤ４３と制御基板１８とが遮蔽材４８を隔てて同室配置される（図３（ｃ）参照）。
【００２２】
上述した遮蔽材４８としては、減速ギヤ４３に対向する側にビロードやベロア等平滑な布材、制御基板１８に対向する側に樹脂材が重ね合わされたシート材が用いられる。これにより、潤滑油が滴下或いは飛散しても布材で吸収され、電子部品が遮蔽材４８と当接しても絶縁性シートであるため駆動回路との絶縁性を確保することができる。
【００２３】
上述したように、ケース内で減速ギヤ４３と電子部品が搭載された制御基板１８とが遮蔽材４８により隔てられて同室配置されており、減速ギヤ４３と制御基板１８とが組み付け不具合の生じない最小の高さ位置でオーバーラップしてケース内に収納できるので、装置の高さや設置面積を大幅に減らして小型化を図ることができる。また、減速ギヤ４３と制御基板１８とが遮蔽材４８により隔てられているので、減速ギヤ４３からグリース等の潤滑油が滴下するおそれはなく、制御基板１８の設計上の自由度を確保することができる。尚、遮蔽材４８は複数素材よりなるシート材に限定されるものではなく、単一素材のシート材であっても良い。
【００２４】
ＤＣブラシレスモータ１０を起動すると、モータ軸３３が所定方向へ回転し、ウォーム部３９と噛み合う減速ギヤ４３により減速されて出力軸４１及び出力ギヤ４０を回転駆動する。これにより、出力ギヤ４０に噛み合うルーフ駆動用ケーブル１２が所定方向へ移動（押し引き駆動）して、ルーフ１３の開閉動作が行われる。
【００２５】
本実施例は車両のサンルーフ開閉用のモータ駆動装置について説明したが、これに限定されるものではなく、例えばサンシェード開閉用のモータ駆動装置に用いてもよく、また車両用に限らず他のアクチュエータを作動させるモータ駆動装置源に適用することができる。
更に、モータはＤＣブラシ付モータ、ＤＣブラシレスモータ、ステップモータ等様々な電動モータが用いられ、インナーロータ型、アウターロータ型のうち何れのモータであっても良い。
【図面の簡単な説明】
【００２６】
【図１】サンルーフ駆動装置のブロック構成図である。
【図２】サンルーフ駆動装置を基板ケース側から見た平面図及び正面図である。
【図３】サンルーフ駆動装置をモータケース側から見た部分破断図、矢印Ａ−Ａ部分断面図及び矢印Ｂ−Ｂ断面図である。
【図４】３相ＤＣブラシレスモータの説明図である。
【図５】減速ギヤを収納したモータケース及び遮蔽材の説明図である。
【符号の説明】
【００２７】
１  電源
２  電源処理部
３  電圧監視部
４  ＣＰＵ
５  ルーフ動作制御部
６  回転磁界発生制御部
７  スイッチ
８  不揮発性メモリ
９  モータ駆動部
１０  ３相ＤＣブラシレスモータ
１１  減速部
１２  ルーフ駆動用ケーブル
１３  ルーフ
１４  モータケース
１５  基板ケース
１６  外装ケース
１７  蓋体
１８  制御基板
１９  ガイドプレート
２０、２６、２７  貫通孔
２１  Ｃ形止め部
２２、４５  ダンパー
２３  防振ゴム
２４  止めねじ
２５  コネクタ部
２８  ステータコア
２９  ステータティース部
３０  コイル
３１  ロータ
３２  磁極センサ
３３  モータ軸
３４  センサ基板
３５  弾性体
３６  軸受部
３７  スラスト受け
３８  ロータマグネット
３９  ウォーム部
４０  出力ギヤ
４１  出力軸
４２  ボス部
４３  減速ギヤ
４４  ギヤ収納壁
４６  ロックプレート
４７  Ｃ形止め輪
４８  遮蔽材
４８ａ  軸孔
４９  突起
５０  嵌め込み孔                                                     
【図１】
2005224076.tif 000003
【図２】
2005224076.tif 000004
【図３】
2005224076.tif 000005
【図４】
2005224076.tif 000006
【図５】
2005224076.tif 000007